(57)【要約】      （修正有）【課題】操作部の操作性を向上させることができる入力装置を提供する。【解決手段】操作部２は、外部からのスライド操作によりスライド運動する。カム３は、この操作部へのスライド操作により、操作部に設けられた歯２４により、カム３は回転運動する。このカムの回転運動により、スライダ４は、連動して直動運動する。このスライダの直動運動により、出力部５は、スライダの直動運動に応じて第１の信号を出力する。以上の第１の操作により、操作部は第１操作位置から第２操作位置に移動する。操作部の第２操作位置から第１操作位置への移動は第２の操作であり、出力部は第２の信号を出力する。【選択図】図１
2019212474.tif 000002
【特許請求の範囲】
【請求項１】
外部からの操作により運動する操作部と、
前記操作部への操作に応じて回転運動するカムと、
前記カムの回転運動に連動して直動運動するスライダと、
前記スライダの直動運動に応じて信号を出力する出力部と、を備える、
入力装置。
【請求項２】
前記操作部は、外部からの操作により移動し、
前記スライダは、前記操作部の移動に連動して、前記操作部が移動する距離よりも短い距離を移動する、
請求項１記載の入力装置。
【請求項３】
前記操作部は、外部からの操作により直動運動し、
前記カムは、前記操作部の直動運動に連動して回転運動する、
請求項１又は２に記載の入力装置。
【請求項４】
前記操作部の少なくとも一部である表示領域を被覆可能な被覆部を更に備え、
前記表示領域は、前記操作部の運動に応じて、前記被覆部に被覆された状態と露出した状態とになる、
請求項１〜３のいずれか一項に記載の入力装置。
【請求項５】
前記スライダの直動運動の運動エネルギーを電気エネルギーに変換する発電部を更に備え、
前記出力部は、前記発電部で発生する電気エネルギーを用いて信号を出力する、
請求項１〜４のいずれか一項に記載の入力装置。
【請求項６】
弾性部を更に備え、
前記スライダは、第１スライド位置から第２スライド位置へ及び前記第２スライド位置から前記第１スライド位置へ直動運動し、
前記弾性部は、
前記スライダが前記第１スライド位置と前記第２スライド位置との間の所定位置よりも前記第１スライド位置に近い位置にあるとき、前記スライダを前記第１スライド位置に向かって移動させる弾性力を発生し、
前記スライダが前記所定位置よりも前記第２スライド位置に近い位置にあるとき、前記スライダを前記第２スライド位置に向かって移動させる弾性力を発生する、
請求項１〜５のいずれか一項に記載の入力装置。
【請求項７】
前記出力部は、前記スライダが前記第１スライド位置から前記第２スライド位置へ直動運動した場合と、前記第２スライド位置から前記第１スライド位置へ直動運動した場合とのうち、少なくとも一方において信号を出力し、
前記弾性部は、
前記スライダが前記所定位置よりも前記第１スライド位置に近い位置にある場合は、前記弾性部の弾性力により前記スライダを前記第１スライド位置まで移動させ、
前記スライダが前記所定位置よりも前記第２スライド位置に近い位置にある場合は、前記弾性部の弾性力により前記スライダを前記第２スライド位置まで移動させる、
請求項６記載の入力装置。
【請求項８】
前記カムが回転運動するとき、前記カムに沿って、前記カムの回転軸と直交する方向において前記回転軸に近づく向きと前記回転軸から離れる向きとに運動し、前記カムの回転運動の力を前記スライダに伝達する伝達部を更に備え、
前記カムのうち前記回転軸側の第１の領域に前記伝達部が位置している場合は、前記第１の領域と比較して前記回転軸から遠い第２の領域に前記伝達部が位置している場合よりも、前記カムが単位回転角だけ回転するときの前記伝達部の移動量が大きい、
請求項１〜７のいずれか一項に記載の入力装置。
【請求項９】
前記伝達部が前記回転軸に近いほど、前記カムが単位回転角だけ回転するときの前記伝達部の移動量が大きい、
請求項８記載の入力装置。
【請求項１０】
前記操作部は、第１操作位置から第２操作位置へ及び前記第２操作位置から前記第１操作位置へ運動し、
前記操作部の移動方向に対して傾斜した少なくとも１つの第１斜面を有するストッパを更に備え、
前記操作部は、前記操作部の移動方向に対して傾斜した少なくとも１つの第２斜面を有し、
前記少なくとも１つの第２斜面は、前記操作部が前記第１操作位置及び前記第２操作位置の少なくとも一方にあるときに前記少なくとも１つの第１斜面に接する、
請求項１〜９のいずれか一項に記載の入力装置。
【請求項１１】
前記操作部が運動するとき、前記操作部の運動速度を減速させる減速機構を更に備える、
請求項１〜１０のいずれか一項に記載の入力装置。
【発明の詳細な説明】
【技術分野】
【０００１】
本開示は入力装置に関し、より詳細には、外部からの操作に応じて信号を出力する入力装置に関する。
【背景技術】
【０００２】
外部からの操作に応じて信号を出力する装置の従来例として、特許文献１記載の発電装置を例示する。特許文献１記載の発電装置は、押しボタンと、スライダと、第一ばねと、第一可動部材と、第二可動部材と、発電部と、を備えている。発電部は、第一ヨーク部材と、コイルと、を有している。押しボタンの動きに応じて蓄積された第一ばねの復元力により、スライダと共に第一可動部材と第二可動部材が移動して、第一ヨーク部材に対する第一可動部材と第二可動部材との位置が変化し、第一ヨーク部材に流れる磁束の方向が変化し、第一ヨーク部材の外周に設置されているコイルに起電力が生じる。発電装置に設置された電子回路は、発電部からの電力により無線信号を生成する。
【先行技術文献】
【特許文献】
【０００３】
【特許文献１】国際公開第２０１４／０６１２２５号
【発明の概要】
【発明が解決しようとする課題】
【０００４】
上記のような装置において、例えば、操作部（押しボタン）を押す操作に要する力を低減させる等、操作部の操作性の向上が求められることがあった。
【０００５】
本開示は、操作部の操作性を向上させることができる入力装置を提供することを目的とする。
【課題を解決するための手段】
【０００６】
上記の課題を解決するために、本開示の一態様に係る入力装置は、操作部と、カムと、スライダと、出力部と、を備える。前記操作部は、外部からの操作により運動する。前記カムは、前記操作部への操作に応じて回転運動する。前記スライダは、前記カムの回転運動に連動して直動運動する。前記出力部は、前記スライダの直動運動に応じて信号を出力する。
【発明の効果】
【０００７】
本開示の一態様に係る入力装置は、操作部の操作性を向上させることができる。
【図面の簡単な説明】
【０００８】
【図１】図１は、一実施形態に係る入力装置の分解斜視図である。
【図２】図２Ａは、同上の入力装置の正面図であって、操作部が第１操作位置にある状態を示す。図２Ｂは、同上の入力装置の正面図であって、操作部が第２操作位置にある状態を示す。
【図３】図３Ａは、図２Ａにおいて第１のボディを取り外した状態の図である。図３Ｂは、図２Ｂにおいて第１のボディを取り外した状態の図である。
【図４】図４Ａは、同上の入力装置の断面図であって、操作部が第１操作位置にある状態を示す。図４Ｂは、同上の入力装置の断面図であって、操作部が第２操作位置にある状態を示す。
【図５】図５Ａは、同上の入力装置の内部の分解斜視図である。図５Ｂは、図５Ａとは反対側から見たときのギアの斜視図である。
【図６】図６Ａは、同上の入力装置の要部の正面図であって、スライダが第１スライド位置にある状態を示す。図６Ｂは、同上の入力装置の要部の正面図であって、スライダが第２スライド位置にある状態を示す。
【図７】図７は、同上の入力装置の要部の分解斜視図である。
【図８】図８Ａは、同上の入力装置のカムの正面図である。図８Ｂは、同上の入力装置のカムのカム溝の形状を説明するためのグラフである。
【図９】図９Ａは、同上の入力装置の第３のボディを取り外した状態の背面図であって、操作部が第１操作位置にある状態を示す。図９Ｂは、同上の入力装置の第３のボディを取り外した状態の背面図であって、操作部が第１操作位置と第２操作位置との間にある状態を示す。図９Ｃは、同上の入力装置の第３のボディを取り外した状態の背面図であって、操作部が第２操作位置にある状態を示す。
【図１０】図１０は、同上の入力装置の操作部の斜視図である。
【発明を実施するための形態】
【０００９】
以下、実施形態に係る入力装置について、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１０】
本実施形態の入力装置１は、図１に示すように、操作部２と、カム３と、スライダ４と、出力部５と、を備えている。
【００１１】
操作部２は、外部からの操作により運動する。ユーザの操作部２への操作に応じて、カム３が回転運動する。カム３の回転運動に連動して、スライダ４が直線運動する。スライダ４の直線運動に応じて、出力部５が信号を出力する。つまり、入力装置１は、操作部２への操作（入力）に応じて信号を出力する。
【００１２】
操作部２は、ユーザの第１の操作により、第１操作位置（図２Ａに示す位置）から第２操作位置（図２Ｂに示す位置）へ運動し、ユーザの第２の操作により、第２操作位置から第１操作位置へ運動する。出力部５は、操作部２に第１の操作がされたときは第１の信号を出力し、操作部２に第２の操作がされたときは第２の信号を出力する。
【００１３】
入力装置１は、例えば、所定の場所の利用状況の管理に用いられる。より具体的には、入力装置１は、会議室等の部屋（所定の場所）への人の入室と退出との管理に用いられる。入力装置１は、部屋の出入り口に設置される。部屋を利用する者は、入力装置１の操作部２を操作して出力部５から信号を出力させる。信号は、入力装置１とは別の外部装置（例えば、サーバ）へ出力される。外部装置は、入力装置１からの信号に基づいて、部屋が使用中であるか否かを判断する。
【００１４】
また、操作部２は、ユーザに対して所定の情報を表示する表示部としての機能を有している。所定の情報とは、より詳細には、部屋が使用中であるか否かの情報である。操作部２には、「空室」という表記Ｈ１が配置されており、操作部２が取り付けられる第２のボディ６２には、「使用中」という表記Ｈ２が配置されている。操作部２は、ユーザの操作により、第２のボディ６２に沿って運動する。操作部２が第１操作位置にあるときは、「空室」という表記Ｈ１が露出し「使用中」という表記Ｈ２が隠れた状態となる。操作部２が第２操作位置にあるときは、「使用中」という表記Ｈ２が露出し「空室」という表記Ｈ１が隠れた状態となる。ユーザは、表記Ｈ１を視認することで、部屋が使用中ではないことを知ることができ、表記Ｈ２を視認することで、部屋が使用中であることを知ることができる。
【００１５】
以下の説明では、特に断りが無い限り、カム３と出力部５とが並んでいる方向を左右方向と規定し、カム３から見て出力部５側を左と規定し、出力部５から見てカム３側を右と規定する。また、カム３の回転軸の方向を前後方向と規定する。カム３とスライダ４とは、前後方向に並んでいる。カム３から見てスライダ４側を前と規定し、スライダ４から見てカム３側を後と規定する。また、カム３と出力部５とが並んでいる方向及びカム３の回転軸の方向と直交する方向を上下方向と規定する。ただし、これらの方向は入力装置１の使用方向を規定する趣旨ではない。
【００１６】
図１、３Ａに示すように、入力装置１は、第１のボディ６１と、第２のボディ６２と、第３のボディ６３と、を更に備えている。第１のボディ６１は、一の面（後面）が開口した箱状である。第２のボディ６２は、一の面（後面）が開口した箱状である。第３のボディ６３は、板状である。
【００１７】
第１のボディ６１は、矩形板状の基部６１１と、角筒状の側部６１２と、を有している。側部６１２は、基部６１１の周縁から後向きに突出している。第１のボディ６１の後面は、第３のボディ６３により覆われている。第１のボディ６１に第３のボディ６３が結合されることで、ケースが形成されている。入力装置１のうち第１のボディ６１及び第３のボディ６３以外の構成は、上記ケースに収容されている。
【００１８】
第２のボディ６２は、矩形板状の基部６２１と、角筒状の側部６２２と、を有している。側部６２２は、基部６２１の周縁から後向きに突出している。第２のボディ６２の後面は、第３のボディ６３により覆われている。カム３、スライダ４及び出力部５は、第２のボディ６２の内部に収容され、基部６２１と第３のボディ６３との間に位置している。
【００１９】
操作部２は、Ｕ字状角型アングルのような形状である。操作部２は、基部２１と、２つの側部２２と、を有している。基部２１及び２つの側部２２は、矩形板状である。２つの側部２２は、基部２１の２つの長辺から後向きに突出している。操作部２は、第２のボディ６２に載せ置かれている。より詳細には、操作部２の基部２１が第２のボディ６２の基部６２１に載せ置かれ、操作部２の２つの側部２２が第２のボディ６２の側部６２２を上下方向の両側から挟んでいる。
【００２０】
操作部２は、第２のボディ６２に沿って、第２のボディ６２の長手方向（左右方向）にスライド可能である。すなわち、操作部２は、左右方向に直動運動する。より詳細には、操作部２は、ユーザの第１の操作により、第１操作位置（図２Ａ、３Ａに示す位置）から第２操作位置（図２Ｂ、３Ｂに示す位置）へ運動し、ユーザの第２の操作により、第２操作位置から第１操作位置へ運動する。
【００２１】
第１の操作は、例えば、ユーザが指を基部２１に押し当てて操作部２を右向きにスライドさせる操作である。第２の操作は、例えば、ユーザが指を基部２１に押し当てて操作部２を左向きにスライドさせる操作である。操作部２は、基部２１から突出した摘み２３を更に有している。ユーザは、第１の操作及び第２の操作において、摘み２３を掴んで操作部２をスライドさせてもよい。
【００２２】
第１のボディ６１の基部６１１には、貫通孔からなる窓６１３が形成されている。操作部２の基部２１の一部である第１の表示領域２１０（図２Ａ参照）は、操作部２の運動に応じて、第１のボディ６１の基部６１１（被覆部）に被覆された状態と露出した状態とになる。より詳細には、操作部２が第１操作位置（図２Ａ、３Ａに示す位置）にあるとき、第１の表示領域２１０は、窓６１３を介して入力装置１の外部に露出している。操作部２が第２操作位置（図２Ｂ、３Ｂに示す位置）にあるとき、第１の表示領域２１０は、第１のボディ６１の基部６１１（被覆部）により被覆されている。
【００２３】
また、第２のボディ６２の基部６２１の一部である第２の表示領域６２１０（図２Ｂ参照）は、操作部２の運動に応じて、操作部２の基部２１に被覆された状態と露出した状態とになる。より詳細には、操作部２が第１操作位置（図２Ａ、３Ａに示す位置）にあるとき、第２の表示領域６２１０は、操作部２の基部２１により被覆されている。操作部２が第２操作位置（図２Ｂ、３Ｂに示す位置）にあるとき、第２の表示領域６２１０は、窓６１３を介して入力装置１の外部に露出している。
【００２４】
第２の表示領域６２１０は、第１の表示領域２１０とは異なる色を有している。また、第１の表示領域２１０には、「空室」という表記Ｈ１が配置されている。第２の表示領域６２１０には、「使用中」という表記Ｈ２が配置されている。「空室」及び「使用中」は、表記の一例であって、他にどのような表記でもよい。ここで、第１の表示領域２１０及び第２の表示領域６２１０は、文字が書かれた構成としているが、この構成に限らず、色のみによって状態を表示する構成としてもよい。この場合、操作部２は、第２の表示領域６２１０あるいは第２のボディ６２と異なる色の素材によって形成されていてもよい。
【００２５】
会議室等の部屋を利用する者は、入力装置１の操作部２に第１の操作をして出力部５から第１の信号を出力させる。また、部屋から退出する者は、入力装置１の操作部２に第２の操作をして出力部５から第２の信号を出力させる。ユーザは、操作部２が第１操作位置にあること又は第１の表示領域２１０が露出していることを視認することで、部屋が使用中ではないことを知ることができる。ユーザは、操作部２が第２操作位置にあること又は第２の表示領域６２１０が露出していることを視認することで、部屋が使用中であることを知ることができる。
【００２６】
図４Ａ、４Ｂでは、後述のスライダ本体４１（図６Ａ参照）の図示を省略している。図１、４Ａに示すように、操作部２は、複数の歯２４を更に有している。複数の歯２４は、２つの側部２２の各々の内面に形成されている。２つの側部２２の各々において、複数の歯２４は、左右方向に並んでいる。複数の歯２４は、第２のボディ６２の側部６２２の外面に接している。側部６２２には、側部６２２の下面６２２１を開口させる貫通孔６２３が形成されている。側部６２２には、側部６２２の上面６２２２を開口させる貫通孔６２４が形成されている。貫通孔６２４は、貫通孔６２３よりも左右方向に長い。
【００２７】
カム３は、カム本体３１と、複数の歯３２と、を有している。カム３の一部は、貫通孔６２３、６２４のうち一方（貫通孔６２３）に通されている。カム３の複数の歯３２のうち一部の歯３２は、貫通孔６２３に通されて、操作部２の複数の歯２４のうち一部の歯２４と噛み合っている。
【００２８】
図４Ａに示すように、カム本体３１は、円盤状である。複数の歯３２は、カム本体３１の外周面に形成されている。第２のボディ６２は、カム３を支持するための第１のボス部６４を更に有している。第１のボス部６４は、円筒状である。第１のボス部６４は、基部６２１の内面から後向きに突出している。
【００２９】
カム本体３１には、第１のボス部６４が通される貫通孔３１１が形成されている。貫通孔３１１は、カム本体３１の径方向の中心に形成されている。貫通孔３１１に第１のボス部６４が通された状態で、第１のボス部６４の内側にねじＳＣ１（図５Ａ参照）が通されている。ねじＳＣ１とカム本体３１との間には、座金Ｗ１（図５Ａ参照）が挟まれている。ねじＳＣ１及び座金Ｗ１により、カム３が第１のボス部６４から脱落することが抑制される。カム３は、第１のボス部６４を軸として回転可能に、第１のボス部６４に支持されている。
【００３０】
操作部２が左右方向に運動すると、カム３の複数の歯３２は、操作部２の複数の歯２４と噛み合って移動し、カム３が回転運動する。より詳細には、操作部２が第１操作位置（図４Ａに示す位置）から第２操作位置（図４Ｂに示す位置）に向かって右向きに運動すると、カム３は前から見て反時計回りに回転する。操作部２が第２の操作位置から第１操作位置に向かって左向きに運動すると、カム３は前から見て時計回りに回転する。
【００３１】
入力装置１は、ギア１１を更に備えている。ギア１１は、カム３よりも小さい。図５Ａに示すように、ギア１１は、ギア本体１１１と、複数の歯１１２と、を有している。ギア本体１１１は、円盤状である。複数の歯１１２は、ギア本体１１１の外周面に形成されている。
【００３２】
第２のボディ６２は、ギア１１を支持するための第２のボス部６５を更に有している。第２のボス部６５は、円筒状である。第２のボス部６５は、基部６２１の内面から突出している。
【００３３】
ギア本体１１１には、第２のボス部６５が通される貫通孔１１３が形成されている。貫通孔１１３は、ギア本体１１１の径方向の中心に形成されている。貫通孔１１３に第２のボス部６５が通された状態で、第２のボス部６５の内側にねじＳＣ２が通されている。ねじＳＣ２とギア本体１１１との間には、座金Ｗ２が挟まれている。ねじＳＣ２及び座金Ｗ２により、ギア１１が第２のボス部６５から脱落することが抑制される。ギア１１は、第２のボス部６５を軸として回転可能に、第２のボス部６５に支持されている。
【００３４】
ギア１１の一部は、貫通孔６２３、６２４のうち一方（貫通孔６２４）に通されている。ギア１１の複数の歯１１２のうち一部の歯１１２は、貫通孔６２４に通されて、操作部２の複数の歯２４のうち一部の歯２４と噛み合っている。
【００３５】
操作部２が左右方向に運動すると、ギア１１の複数の歯１１２は、操作部２の複数の歯２４と噛み合って移動し、ギア１１が回転運動する。より詳細には、操作部２が第１操作位置（図４Ａに示す位置）から第２操作位置（図４Ｂに示す位置）に向かって右向きに運動すると、ギア１１は前から見て時計回りに回転する。操作部２が第２操作位置から第１操作位置に向かって左向きに運動すると、ギア１１は前から見て反時計回りに回転する。つまり、ギア１１は、カム３とは反対向きに回転する。
【００３６】
ギア１１の複数の歯１１２は、カム３の複数の歯３２と噛み合っている。ギア１１の複数の歯１１２は、カム３の複数の歯３２との接触点において、複数の歯３２と同じ向きに移動する。これにより、ギア１１は、操作部２の複数の歯２４のうち上側の歯２４がギア１１を介してカム３に加える回転トルクの向きを、複数の歯２４のうち下側の歯２４がカム３に加える回転トルクの向きに一致（同期）させている。
【００３７】
第２のボディ６２は、挿入部６６を更に有している。挿入部６６は、基部６２１の内面から突出している。挿入部６６は、第２のボス部６５と同心の円筒状である。挿入部６６は、第２のボス部６５の周囲に形成されている。
【００３８】
図５Ｂに示すように、ギア１１のギア本体１１１には、溝部１１４が形成されている。溝部１１４は、ギア本体１１１の外縁に対して同心円状である。溝部１１４には、挿入部６６が挿入される。
【００３９】
溝部１１４の内面と挿入部６６との間には、グリス（ダンパグリス）が設けられる。ギア１１は、操作部２の運動に連動して回転運動するが、グリスの粘性抵抗により、グリスが無い場合よりも、操作部２の運動がギア１１の回転運動に変換される効率が低下する。したがって、ユーザが操作部２を操作するとき、グリスが無い場合よりも操作部２の運動の抵抗が大きく、ゆっくりとした操作感となる。
【００４０】
グリス、溝部１１４及び挿入部６６は、操作部２が運動するとき、操作部２に対して、操作部２が運動する向きとは反対向きに作用する力を発生させる減速機構１２を構成する。つまり、グリスの粘性抵抗は、ギア１１の回転運動を減速させるように作用するので、ギア１１から操作部２に対して、操作部２が運動する向きとは反対向きに作用する力が発生する。これにより、減速機構１２は、操作部２の運動速度を減速させる。
【００４１】
図６Ａ、図６Ｂ、図７に示すように、スライダ４は、スライダ本体４１と、押部材４２と、第１のシャフト４３と、第２のシャフト４４と、を有している。入力装置１は、伝達部４８を更に備えている。伝達部４８は、カム３の回転運動の力をスライダ４に伝達する。
【００４２】
スライダ本体４１は、長方形の板状である。押部材４２は、正方形の板状である。スライダ本体４１の厚み方向と押部材４２の厚み方向とは、前後方向と一致する。伝達部４８は、円筒状である。スライダ本体４１には、第１のシャフト４３と、第２のシャフト４４とが固定されている。スライダ本体４１には、第１のシャフト４３を介して、押部材４２が固定されている。スライダ本体４１には、第２のシャフト４４を介して、伝達部４８が固定されている。押部材４２及び伝達部４８は、スライダ本体４１の後方に配置されている。押部材４２及び伝達部４８は、左右方向に互いに間隔を空けて配置されている。
【００４３】
図４Ａに示すように、カム本体３１には、カム溝３３が形成されている。カム溝３３は、半円状に形成されている。カム溝３３の第１端は、カム溝３３のうちカム３の回転軸側の第１の領域Ｒ１に位置している。カム溝３３の第２端は、カム溝３３のうち第１の領域Ｒ１と比較して回転軸から遠い第２の領域Ｒ２に位置している。この明細書で言うカム３の回転軸とは、仮想的な軸であり、実体を伴わない。
【００４４】
伝達部４８は、カム溝３３に挿入されている。伝達部４８は、スライダ４により、前後方向及び上下方向の運動が規制されている。伝達部４８は、スライダ４と一緒に左右方向に運動可能である。カム３が回転運動するとき、伝達部４８は、カム溝３３に沿って、カム３の回転軸と直交する方向（左右方向）において回転軸に近づく向きと回転軸から離れる向きとに運動する。より詳細には、伝達部４８は、第１の領域Ｒ１と第２の領域Ｒ２との間を運動する。
【００４５】
カム３が前から見て反時計回りに回転運動すると、伝達部４８は、カム溝３３に沿って左向きに運動するので、スライダ４も左向きに運動する。つまり、この場合、伝達部４８は、第１の領域Ｒ１から第２の領域Ｒ２に向かう向きに運動する。カム３が前から見て時計回りに回転運動すると、伝達部４８は、カム溝３３に沿って右向きに運動するので、スライダ４も右向きに運動する。つまり、この場合、伝達部４８は、第２の領域Ｒ２から第１の領域Ｒ１に向かう向きに運動する。
【００４６】
操作部２へのユーザの第１の操作により、操作部２が第１操作位置（図２Ａ、３Ａに示す位置）から第２操作位置（図２Ｂ、３Ｂに示す位置）へ運動すると、カム３は前から見て反時計回りに回転し、スライダ４は、第１スライド位置（図６Ａに示す位置）から第２スライド位置（図６Ｂに示す位置）へ直動運動する。また、操作部２へのユーザの第２の操作により、操作部２が第２操作位置から第１操作位置へ運動すると、カム３は前から見て時計回りに回転し、スライダ４は、第２スライド位置から第１スライド位置へ直動運動する。
【００４７】
スライダ４は、操作部２の移動に連動して、操作部２が移動する距離Ｌ１（図３Ａ参照）よりも短い距離Ｌ２（図６Ａ参照）を移動する。つまり、スライダ４の第１スライド位置から第２スライド位置への移動距離は、操作部２の第１操作位置から第２操作位置への移動距離よりも短い。したがって、ユーザが操作部２を運動させるように加える力は、スライダ４におけるより大きい力に変換される。ユーザは、スライダ４を直接操作する場合と比較して小さい力で操作部２を操作できる。また、スライダ４の移動距離と比較して、操作部２の移動距離が大きいので、ユーザは、操作部２が第１操作位置にあること及び操作部２が第２操作位置にあることを視認しやすい。
【００４８】
第１の領域Ｒ１に伝達部４８が位置している場合は、第２の領域Ｒ２に伝達部４８が位置している場合よりも、カム３が単位回転角だけ回転するときの伝達部４８の移動量が大きい。言い換えると、伝達部４８とカム３の回転軸とを通る直線と伝達部４８の移動方向とがなす鋭角は、第２の領域Ｒ２に伝達部４８が位置している場合よりも、第１の領域Ｒ１に伝達部４８が位置している場合の方が小さい。カム溝３３の形状により、伝達部４８の上記のような運動が実現される。
【００４９】
さらに、伝達部４８がカム３の回転軸に近いほど、カム３が単位回転角だけ回転するときの伝達部４８の移動量が大きい。カム溝３３の形状により、伝達部４８の上記のような運動が実現される。伝達部４８とカム３の回転軸とを通る直線と伝達部４８の移動方向とがなす鋭角は、伝達部４８とカム３の回転軸との間の距離が小さいほど小さい。
【００５０】
図８Ｂに、カム３の回転角θ（図８Ａ参照）と、伝達部４８の中心軸とカム３の回転軸との間の距離ｒ１（図８Ａ参照）との関係をグラフとして示す。ここで、第１の領域Ｒ１に伝達部４８が位置しているときのカム３の回転角θを０°とすると、第２の領域Ｒ２に伝達部４８が位置しているときのカム３の回転角θは略２００°である。カム３が単位回転角だけ回転するときの伝達部４８の移動量は、グラフの傾きとして示されている。カム溝３３の第１の領域Ｒ１〜第４の領域Ｒ４のうち、該当する領域に伝達部４８が存在するときの回転角θが小さい順に、第１の領域Ｒ１、第３の領域Ｒ３、第４の領域Ｒ４、第２の領域Ｒ２である。第３の領域Ｒ３から第４の領域Ｒ４までの領域では、回転角θが小さいほど、グラフの傾きは大きい。
【００５１】
仮に、伝達部４８からカム３に加わる力の大きさと向きとが一定であれば、伝達部４８とカム３との間の距離が小さいほど、伝達部４８からカム３に加えられるトルクが小さく、カム３を回転運動させるためにより大きい力を操作部２に加えることを要する。入力装置１では、伝達部４８がカム３の回転軸に近いほど、カム３が単位回転角だけ回転するときの伝達部４８の移動量が大きいので、伝達部４８とカム３の回転軸との間の距離によって、伝達部４８の移動を妨げる力の向きが変化する。より詳細には、伝達部４８の中心軸とカム３の回転軸との間の距離ｒ１が小さいほど、伝達部４８が移動するときに伝達部４８の移動を妨げる力の左右方向の成分が小さくなる。したがって、カム３を回転運動させるために要する力の大きさが、伝達部４８の中心軸とカム３の回転軸との間の距離ｒ１によって変化することが緩和される。
【００５２】
カム溝３３は、カム３を回転運動させるために要する力の大きさが、伝達部４８の中心軸とカム３の回転軸との間の距離ｒ１によらず一定となるように形成されている。ここで、スライダ４が運動して伝達部４８が第１の領域Ｒ１から第３の領域Ｒ３に移動すると、スライダ４の押部材４２が後述の第１ボタン５１１を押す。スライダ４が運動して伝達部４８が第２の領域Ｒ２から第４の領域Ｒ４に移動すると、スライダ４の押部材４２が後述の第２ボタン５１２を押す。押部材４２が第１ボタン５１１又は第２ボタン５１２を押す瞬間は、カム３を回転運動させるために要する力の大きさが増加する。そこで、カム３が単位回転角だけ回転するときの伝達部４８の移動量の増分（図８Ｂの傾きの増分）が、第１の領域Ｒ１における増分よりも第３の領域Ｒ３における増分の方が大きくなるように、カム溝３３が形成されている。カム３が単位回転角だけ回転するときの伝達部４８の移動量の増分（図８Ｂの傾きの増分）が、第２の領域Ｒ２における増分よりも第４の領域Ｒ４における増分の方が大きくなるように、カム溝３３が形成されている。
【００５３】
図７に示すように、伝達部４８は、円筒状である。伝達部４８は、円柱状の第２のシャフト４４と同心であり、第２のシャフト４４を囲むように配置されている。伝達部４８は、第２のシャフト４４に対して回転可能である。
【００５４】
伝達部４８は、第２のシャフト４４に対して回転しながら、カム溝３３の内面と転がり接触しながらカム溝３３を移動する。したがって、伝達部４８がカム溝３３の内面と滑り接触しながらカム溝３３を移動する場合と比較して、伝達部４８とカム溝３３の内面との間の摩擦力を低減できる。
【００５５】
出力部５は、ケース７５と、カバー７２と、スイッチ５１と、発電部５２（図６Ａ参照）と、信号生成回路５３（図６Ａ参照）と、送信回路５４（図６Ａ参照）と、を有する。
【００５６】
ケース７５は、スイッチ５１、発電部５２、信号生成回路５３、及び送信回路５４を収容する。ケース７５は、左右方向に長い直方体形の箱状である。スライダ４の押部材４２は、ケース７５の収容空間ＳＰ１に収容されている。収容空間ＳＰ１は、前が開放された空間であり、カバー７２により前から覆われている。第１のシャフト４３は、カバー７２に形成された貫通孔７２０に通されている。カバー７２は、スライダ本体４１と押部材４２との間に配置されている。
【００５７】
スイッチ５１は、例えば、ロッカースイッチ（シーソースイッチとも呼ばれる。）である。スイッチ５１の長手方向は、左右方向に沿っている。スイッチ５１は、第１ボタン５１１と、第２ボタン５１２とを有している。第１ボタン５１１は、スイッチ５１の長手方向の第１端（左端）に設けられている。第２ボタン５１２は、スイッチ５１の長手方向の第２端（右端）に設けられている。スイッチ５１は、長手方向の中心を軸に回転して、長手方向の両端（第１ボタン５１１及び第２ボタン５１２）が前後に移動する。つまり、スイッチ５１は、長手方向の中心を基点としてシーソーのように動作する。スイッチ５１は、第１状態又は第２状態に切替可能である。本実施形態では、第１ボタン５１１が第２ボタン５１２よりも前に位置する状態が第１状態であり、第２ボタン５１２が第１ボタン５１１よりも前に位置する状態が第２状態である。
【００５８】
スライダ４が第１スライド位置（図６Ａに示す位置）にあるとき、スイッチ５１は第１状態である。スライダ４が第２スライド位置（図６Ｂに示す位置）にあるとき、スイッチ５１は第２状態である。スライダ４が第１スライド位置から第２スライド位置へ移動する途中で、スライダ４の押部材４２は、第１ボタン５１１を後向きに押す。これにより、スイッチ５１は、第１状態から第２状態になる。また、スライダ４が第２スライド位置から第１スライド位置へ移動する途中で、スライダ４の押部材４２は、第２ボタン５１２を後向きに押す。これにより、スイッチ５１は、第２状態から第１状態になる。
【００５９】
発電部５２は、スライダ４の直動運動の運動エネルギーを電気エネルギーに変換する。より詳細には、スライダ４の直動運動により、スイッチ５１が第１状態と第２状態との間で切り替わり、発電部５２は、スイッチ５１が第１状態と第２状態との間で切り替わるときの運動エネルギーを電気エネルギーに変換する。発電部５２は、例えば、永久磁石とコイルとを有し、スイッチ５１の動作を、永久磁石の直線的な動作に変換し、永久磁石とコイルとで誘導起電力を発生させて発電する。
【００６０】
信号生成回路５３及び送信回路５４は、発電部５２に電気的に接続されている。信号生成回路５３は、発電部５２で発生する電気エネルギーを用いて信号を生成する。送信回路５４は、信号生成回路５３が生成した信号を、発電部５２で発生する電気エネルギーを用いて出力する。したがって、入力装置１は、電池又は商用電源等からの電力供給を必要としない。信号生成回路５３は、例えば、発電部５２で発生する電気エネルギーを貯めるためのコンデンサを備えている。
【００６１】
スライダ４が第１スライド位置から第２スライド位置へ運動するときと、スライダ４が第２スライド位置から第１スライド位置へ運動するときとでは、発電部５２から出力される電気信号が異なる（例えば、上記コンデンサに印加される電圧の極性が異なる）。信号生成回路５３は、発電部５２から出力される電気信号に基づいて、スライダ４の運動の向きに応じた検知情報を生成する。信号生成回路５３は、操作部２に第１の操作がされてスライダ４が第１スライド位置から第２スライド位置へ運動するときは、第１の検知情報を含む第１の信号を生成する。信号生成回路５３は、操作部２に第２の操作がされてスライダ４が第２スライド位置から第１スライド位置へ運動するときは、第１の検知情報とは異なる第２の検知情報を含む第２の信号を生成する。つまり、信号生成回路５３は、発電部５２で発生する電力に応じて検知情報を生成する。
【００６２】
送信回路５４は、例えば、アンテナを有する回路である。送信回路５４は、信号生成回路５３が生成した検知情報を、電波を伝送媒体とする無線通信によって、アンテナから外部装置へ送信する。送信回路５４の通信方式は、例えばＷｉＦｉ（登録商標）、又はＢｌｕｅｔｏｏｔｈ（登録商標）、特定小電力無線である。特定小電力無線は、免許及び登録を必要としない小電力無線であって、例えば日本国においては、４２０ＭＨｚ帯又は９２０ＭＨｚ帯の電波を使用する小電力無線である。
【００６３】
出力部５は、スライダ４の直動運動に応じて信号を出力する。すなわち、スライダ４が直動運動してスライダ４からスイッチ５１に力が加えられ、スイッチ５１が動作すると、発電部５２で電気エネルギーが発生する。送信回路５４は、発電部５２で発生する電気エネルギーを用いて信号を出力する。
【００６４】
図９Ａに示すように、入力装置１は、弾性部１３を更に備えている。弾性部１３は、カム３の回転運動に連動して伸縮して、カム３を回転運動させるような弾性力を作用させる。弾性部１３は、例えば、引張コイルばねである。弾性部１３の第１端１３１は、第２のボディ６２に固定されている。弾性部１３の第２端１３２は、カム３に固定されている。より詳細には、第２端１３２は、カム本体３１から突出した引掛部３４に引っ掛けられて固定されている。第１端１３１は、カム３から見て右側で固定されている。第２端１３２は、カム本体３１の周縁付近に固定されている。
【００６５】
図９Ａに示すように、操作部２が第１操作位置にあるときは、弾性部１３の第２端１３２は、左右方向においてカム本体３１の中心に位置し、カム３の回転軸よりも上側に位置する。カム３の回転軸は、第１のボス部６４（図４Ａ参照）の中心軸及びねじＳＣ１の中心軸と一致する。
【００６６】
図９Ｂに示すように、操作部２が第１操作位置と第２操作位置との間にあるときは、弾性部１３の第２端１３２は、カム本体３１の中心よりも左方に位置する。図９Ｃに示すように、操作部２が第２操作位置にあるときは、弾性部１３の第２端１３２は、左右方向においてカム本体３１の中心に位置し、カム３の回転軸よりも下側に位置する。
【００６７】
操作部２が第１操作位置及び第２操作位置にあるときは、弾性部１３に働く力が釣り合っている。操作部２が第１操作位置又は第２操作位置から、第１操作位置と第２操作位置との間へ運動すると、弾性部１３が引っ張られる。操作部２が第１操作位置と第２操作位置との間にあるときは、弾性部１３の弾性力（復元力）によりカム３が回転運動し、操作部２は、第１操作位置又は第２操作位置に向かって運動する。
【００６８】
操作部２が第１操作位置から第２操作位置へ又は第２操作位置から第１操作位置へ運動するとき、カム３は半回転する。図９Ｂに示すように、カム３が４分の１回転したとき、弾性部１３の長さが最大となる。弾性部１３の長さが最大のときのスライダ４（図６Ａ参照）の位置を、所定位置と称す。所定位置は、第１スライド位置（図６Ａに示す位置）と第２スライド位置（図６Ｂに示す位置）との間の位置である。
【００６９】
弾性部１３は、スライダ４が所定位置よりも第１スライド位置に近い位置にあるとき、スライダ４を第１スライド位置に向かって移動させる弾性力を発生する。この場合、弾性部１３は、弾性部１３の弾性力により、スライダ４を第１スライド位置まで移動させる。また、弾性部１３の弾性力により、操作部２は第１操作位置まで運動し、カム３は図９Ａに示す位置まで回転運動する。
【００７０】
弾性部１３は、スライダ４が所定位置よりも第２スライド位置に近い位置にあるとき、スライダ４を第２スライド位置に向かって移動させる弾性力を発生する。この場合、弾性部１３は、弾性部１３の弾性力により、スライダ４を第２スライド位置まで移動させる。また、弾性部１３の弾性力により、操作部２は第２操作位置まで運動し、カム３は図９Ｃに示す位置まで回転運動する。
【００７１】
弾性部１３の弾性力によりスライダ４が第１スライド位置又は第２スライド位置へ移動するので、出力部５から信号を確実に出力させることができる。つまり、スライダ４が所定位置を越えて移動した後は、弾性部１３の弾性力によりスライダ４が自動的に第１スライド位置又は第２スライド位置へ移動する。したがって、ユーザが操作部２を指で操作することでスライダ４が所定位置を越えて移動すれば、ユーザが操作部２から指を離したとしても、スライダ４は第１スライド位置又は第２スライド位置まで移動するので、出力部５から信号を確実に出力させることができる。
【００７２】
また、少なくとも弾性部１３が無い場合は、操作部２が移動するために要する力は、操作部２が動き始める前は比較的大きく、操作部２が動き始めた後は比較的小さくなる。実施形態の操作部２は、スライダ４が所定位置に到達するまでは、操作部２の移動を妨げる向きに弾性部１３から弾性力を受けるため、操作部２が移動するために要する力が、操作部２が動き始めた後に低減することが抑制される。これにより、操作部２が移動するために要する力の変動が抑制される。
【００７３】
また、操作部２が移動するために要する力は、スライダ４が第１スライド位置又は第２スライド位置を始点として所定位置に近づくにつれて、弾性部１３の弾性力によって徐々に増加する。そして、スライダ４が所定位置を越えると、弾性部１３に蓄えられた力が開放されることによって、操作部２を移動させるために要する力は一気に減少する。このように、スライダ４が所定の位置を越える前後で、操作部２を移動させるために要する力が急激に変化する。したがって、ユーザは、操作部２を操作する際に、操作感触を得ることができる。ここでは、操作感触は、クリック的な感触である。
【００７４】
図１、３Ａ、３Ｂに示すように、入力装置１は、第１のストッパ６７と、複数（図３では２つ）の第２のストッパ６８とを更に備えている。操作部２が第１操作位置又は第２操作位置にあるとき、操作部２は、第１又は第２のストッパ６７、６８に接する。第１のストッパ６７及び複数の第２のストッパ６８は、第２のボディ６２から突出している。第１のストッパ６７及び複数の第２のストッパ６８は、第２のボディ６２と一体に形成されている。第１のストッパ６７は、第２のボディ６２の右端付近に形成されている。第２のストッパ６８は、第２のボディ６２の左端付近に形成されている。第１のストッパ６７は、操作部２の移動方向（左右方向）に対して傾斜した２つの斜面６７１（第１斜面）を有している。複数の第２のストッパ６８はそれぞれ、操作部２の移動方向（左右方向）に対して傾斜した斜面６８１（第１斜面）を有している。
【００７５】
操作部２は、操作部２の移動方向（左右方向）に対して傾斜した複数（図３Ａでは２つ）の斜面２０２（第２斜面）と、図１０に示す複数（図１０では２つ）の斜面２０３（第２斜面）とを有している。複数の斜面２０２は、操作部２の右端付近に形成されている。複数の斜面２０３は、第２のボディ６２の左端付近に形成されている。操作部２は、操作部２の２つの側部２２の左端から突出した２つの突出部２５を有している。複数の斜面２０３はそれぞれ、突出部２５に形成されている。
【００７６】
複数の斜面２０２は、第１のストッパ６７の複数の斜面６７１と一対一で対応している。複数の斜面２０２はそれぞれ、対応する斜面６７１と左右方向において向かい合う。複数の斜面２０２はそれぞれ、対応する斜面６７１に平行である。操作部２が第２の操作位置（図３Ｂに示す位置）にあるとき、操作部２の複数の斜面２０２はそれぞれ、第１のストッパ６７の対応する斜面６７１に接する。
【００７７】
複数の斜面２０３は、複数の第２のストッパ６８と一対一で対応している。複数の斜面２０３はそれぞれ、対応する第２のストッパ６８の斜面６８１と左右方向において向かい合う。複数の斜面２０３はそれぞれ、対応する第２のストッパ６８の斜面６８１に平行である。操作部２が第１の操作位置（図３Ａに示す位置）にあるとき、操作部２の複数の斜面２０３はそれぞれ、対応する第２のストッパ６８の斜面６８１に接する。
【００７８】
操作部２が第１操作位置又は第２操作位置へ運動するとき、操作部２と第１、第２のストッパ６７、６８とがそれぞれの斜面において接するので、操作部２が第１、第２のストッパ６７、６８に衝突するときの力が分散され、衝突音を緩和できる。特に、操作部２の運動は、カム３が弾性部１３から力を加えられることで弾性部１３により勢い付けられやすいので、上記のように、衝突音を緩和することが望ましい。
【００７９】
以上説明したように、本実施形態の入力装置１では、カム３及びスライダ４により、操作部２への操作力を異なる大きさの力に変換できる。より詳細には、カム３及びスライダ４により、操作部２への操作力がより大きい力に変換されるので、ユーザは、より小さい操作力で出力部５から信号を出力させることができる。これにより、操作部２の操作性が向上する。
【００８０】
また、操作部２に対する操作力をカム３とスライダ４とにより変換する構成を採用することで、入力装置１の上下方向の寸法及び前後方向の寸法を小さくできることがある。
【００８１】
（実施形態１の変形例）
次に、実施形態の変形例を列挙する。以下の変形例は、適宜組み合わせて実現されてもよい。
【００８２】
操作部２は、外部からの操作により直動運動する構成に限定されない。例えば、操作部２は、外部からの操作により回転運動してもよい。また、操作部２がカム３と一体に形成されていてもよい。
【００８３】
また、出力部５は、発電部５２で発生する電気エネルギーを用いて信号を出力することに限定されない。出力部５は、入力装置１に取り付けられた電池又は商用電源等の外部電源から供給される電気エネルギーを用いて信号を出力してもよい。
【００８４】
また、実施形態の減速機構１２は、グリスを含む構成である。これに対して、減速機構１２は、ばね等の弾性体を含む構成により実現されてもよい。減速機構１２は、操作部２が運動するとき、操作部２に対して、操作部２が運動する向きとは反対向きに作用する力を発生させればよい。
【００８５】
また、実施形態の入力装置１では、操作部２の複数の歯２４とカム３の複数の歯３２とにより、操作部２の運動をカム３の回転運動に連動させている。これに対して、カムに巻き付けられたベルトを設け、ベルトの運動がカムの回転運動に変換されるように構成してもよい。そして、操作部２の運動に連動してベルトが運動するように構成することで、操作部２の運動をカムの回転運動に連動させてもよい。
【００８６】
また、スイッチ５１は、実施形態で示したシーソーのような動作をする構造に限らず、例えば、直動型の押ボタン構造、又はスライド構造等でもよい。
【００８７】
また、発電部５２は、スイッチ５１が第１状態から第２状態となる際と、スイッチ５１が第２状態から第１状態となる際とのうち一方でのみ発電を行うように構成されていてもよい。
【００８８】
また、入力装置１は、スイッチとして用いられてもよい。
【００８９】
あるいは、入力装置１は、機械部品の位置検出に用いられる構成であってもよい。例えば、入力装置１は、クレセント錠が施錠位置にあるか、解錠位置にあるか否かを検出するクレセントセンサとして用いられてもよい。入力装置１がクレセントセンサである場合、クレセント錠を施錠位置又は解錠位置へ移動させる操作が、操作部２への操作に相当する。
【００９０】
また、入力装置１の各構成の形状は、実施形態で示した形状に限定されない。例えば、実施形態で長方形状である構成が正方形状であってもよいし、実施形態で正方形状である構成が長方形状であってもよい。
【００９１】
また、入力装置１における操作部２、カム３、スライダ４及び出力部５等の各構成は、１つのケース内に集約されていてもよいし、複数のケースに分散して設けられていてもよい。  
【００９２】
（まとめ）
以上説明した実施形態等から、以下の態様が開示されている。第１の態様に係る入力装置１は、操作部２と、カム３と、スライダ４と、出力部５と、を備える。操作部２は、外部からの操作により運動する。カム３は、操作部２への操作に応じて回転運動する。スライダ４は、カム３の回転運動に連動して直動運動する。出力部５は、スライダ４の直動運動に応じて信号を出力する。
【００９３】
上記の構成によれば、カム３及びスライダ４により、操作部２への操作力を異なる大きさの力に変換できる。これにより、操作部２の操作性が向上する。例えば、カム３及びスライダ４により、操作部２への操作力がより小さい力に変換され、この力でスライダ４が移動させられるならば、操作部２への誤操作によって出力部５が信号を出力する可能性を低減できる。
【００９４】
また、第２の態様に係る入力装置１では、第１の態様において、操作部２は、外部からの操作により移動する。スライダ４は、操作部２の移動に連動して、操作部２が移動する距離Ｌ１よりも短い距離Ｌ２を移動する。
【００９５】
上記の構成によれば、カム３及びスライダ４により、操作部２への操作力がより大きい力に変換され、この力でスライダ４が移動させられるので、より小さい操作力で出力部５から信号を出力させることができる。
【００９６】
また、第３の態様に係る入力装置１では、第１又は２の態様において、操作部２は、外部からの操作により直動運動する。カム３は、操作部２の直動運動に連動して回転運動する。
【００９７】
上記の構成によれば、ユーザは、操作部２を直動運動させるという簡単な操作により、出力部５から信号を出力させることができる。
【００９８】
また、第４の態様に係る入力装置１は、第１〜３の態様のいずれか１つにおいて、被覆部（基部６１１）を更に備える。被覆部は、操作部２の少なくとも一部である表示領域（第１の表示領域２１０）を被覆可能である。表示領域は、操作部２の運動に応じて、被覆部に被覆された状態と露出した状態とになる。
【００９９】
上記の構成によれば、表示領域（第１の表示領域２１０）が被覆部（基部６１１）に被覆された状態と、露出した状態とが切り替わることに連動して、カム３が回転運動し、スライダ４が直動運動する。出力部５は、スライダ４の直動運動に応じて信号を出力する。したがって、ユーザは、表示領域が被覆部に被覆された状態であるか、露出した状態であるかを確認することで、信号が出力されたか否か等を知ることができる。
【０１００】
また、第５の態様に係る入力装置１は、第１〜４の態様のいずれか１つにおいて、発電部５２を更に備える。発電部５２は、スライダ４の直動運動の運動エネルギーを電気エネルギーに変換する。出力部５は、発電部５２で発生する電気エネルギーを用いて信号を出力する。
【０１０１】
上記の構成によれば、入力装置１に電池等の電源を取り付けたり、入力装置１を外部電源につないだりしなくても、出力部５が信号を出力することができる。
【０１０２】
また、第６の態様に係る入力装置１は、第１〜５の態様のいずれか１つにおいて、弾性部１３を更に備える。スライダ４は、第１スライド位置から第２スライド位置へ及び第２スライド位置から第１スライド位置へ直動運動する。弾性部１３は、スライダ４が第１スライド位置と第２スライド位置との間の所定位置よりも第１スライド位置に近い位置にあるとき、スライダ４を第１スライド位置に向かって移動させる弾性力を発生する。弾性部１３は、スライダ４が所定位置よりも第２スライド位置に近い位置にあるとき、スライダ４を第２スライド位置に向かって移動させる弾性力を発生する。
【０１０３】
少なくとも弾性部１３が無い場合は、操作部２の操作に要する力は、操作部２が動き始める前は比較的大きく、操作部２が動き始めた後は比較的小さくなる。上記の構成では、スライダ４が第１スライド位置から所定位置まで又は第２スライド位置から所定位置まで移動するときは、弾性部１３の弾性力により、操作部２の操作に要する力は、弾性部１３が無い場合よりも大きくなる。したがって、上記の構成では、スライダ４を第１スライド位置から所定位置へ及び第２スライド位置から所定位置へ移動させるための、操作部２の操作に要する力の大きさの変動を低減できる。
【０１０４】
また、第７の態様に係る入力装置１では、第６の態様において、出力部５は、スライダ４が第１スライド位置から第２スライド位置へ直動運動した場合と、第２スライド位置から第１スライド位置へ直動運動した場合とのうち、少なくとも一方において信号を出力する。弾性部１３は、スライダ４が所定位置よりも第１スライド位置に近い位置にある場合は、弾性部１３の弾性力によりスライダ４を第１スライド位置まで移動させる。弾性部１３は、スライダ４が所定位置よりも第２スライド位置に近い位置にある場合は、弾性部１３の弾性力によりスライダ４を第２スライド位置まで移動させる。
【０１０５】
上記の構成によれば、スライダ４が所定位置を跨いで移動した後は、弾性部１３の弾性力によりスライダ４が自動的に第１スライド位置又は第２スライド位置まで移動するので、出力部５から信号を確実に出力させることができる。
【０１０６】
また、第８の態様に係る入力装置１は、第１〜７の態様のいずれか１つにおいて、伝達部４８を更に備える。伝達部４８は、カム３が回転運動するとき、カム３に沿って、カム３の回転軸と直交する方向において回転軸に近づく向きと回転軸から離れる向きとに運動し、カム３の回転運動の力をスライダ４に伝達する。カム３のうち回転軸側の第１の領域Ｒ１に伝達部４８が位置している場合は、第２の領域Ｒ２に伝達部４８が位置している場合よりも、カム３が単位回転角だけ回転するときの伝達部４８の移動量が大きい。第２の領域Ｒ２は、第１の領域Ｒ１と比較して回転軸から遠い。
【０１０７】
伝達部４８からカム３に加わる力の大きさと向きとが一定であれば、カム３の回転軸側の第１の領域Ｒ１に伝達部４８が位置している場合は、カム３の回転軸からより遠い第２の領域Ｒ２に伝達部４８が位置している場合よりも、伝達部４８からカム３に加えられるトルクが小さい。したがって、第１の領域Ｒ１に伝達部４８が位置している場合は、第２の領域Ｒ２に伝達部４８が位置している場合よりも、カム３を回転運動させるためにより大きい力を操作部２に加えることを要する。上記の構成によれば、第１の領域Ｒ１に伝達部４８が位置している場合は、第２の領域Ｒ２に伝達部４８が位置している場合と比較して、伝達部４８が移動するときにカム３が伝達部４８から受ける力のうち、伝達部４８の移動方向の成分が小さくなる。したがって、第１の領域Ｒ１に伝達部４８が位置している場合にカム３を回転運動させるために要する力の大きさと、第２の領域Ｒ２に伝達部４８が位置している場合にカム３を回転運動させるために要する力の大きさとの差が低減する。
【０１０８】
また、第９の態様に係る入力装置１では、第８の態様において、伝達部４８が回転軸に近いほど、カム３が単位回転角だけ回転するときの伝達部４８の移動量が大きい。
【０１０９】
上記の構成によれば、カム３を回転運動させるために要する力の大きさが、伝達部４８と回転軸との間の距離によって変化することが緩和される。
【０１１０】
また、第１０の態様に係る入力装置１では、第１〜９の態様のいずれか１つにおいて、操作部２は、第１操作位置から第２操作位置へ及び第２操作位置から第１操作位置へ運動する。入力装置１は、ストッパ（第１のストッパ６７及び第２のストッパ６８）を更に備える。ストッパは、少なくとも１つの第１斜面（斜面６７１、６８１）を有する。少なくとも１つの第１斜面は、操作部２の移動方向に対して傾斜している。操作部２は、少なくとも１つの第２斜面（斜面２０２、２０３）を有する。少なくとも１つの第２斜面は、操作部２の移動方向に対して傾斜している。少なくとも１つの第２斜面は、操作部２が第１操作位置及び第２操作位置の少なくとも一方にあるときに少なくとも１つの第１斜面に接する。
【０１１１】
上記の構成によれば、操作部２とストッパ（第１のストッパ６７及び第２のストッパ６８）とが第１斜面（斜面６７１、６８１）及び第２斜面（斜面２０２、２０３）において接するので、操作部２が運動してストッパに衝突するときの力が分散され、衝突により発生する音を緩和できる。
【０１１２】
また、第１１の態様に係る入力装置１は、第１〜１０の態様のいずれか１つにおいて、減速機構１２を更に備える。減速機構１２は、操作部２が運動するとき、操作部２の運動速度を減速させる。
【０１１３】
上記の構成によれば、操作部２が運動して操作部２の進路にある部材（例えば、ストッパ又はクッション材）に当たることで発生する音を緩和できる。
【０１１４】
第１の態様以外の構成については、入力装置１に必須の構成ではなく、適宜省略可能である。
【符号の説明】
【０１１５】
１  入力装置
２  操作部
３  カム
４  スライダ
５  出力部
１２  減速機構
１３  弾性部
４８  伝達部
５２  発電部
６７  第１のストッパ（ストッパ）
６８  第２のストッパ（ストッパ）
２１０  第１の表示領域（表示領域）
６１１  基部（被覆部）
６７１、６８１  斜面（第１斜面）
２０２、２０３  斜面（第２斜面）
Ｌ１  距離
Ｌ２  距離
Ｒ１  第１の領域
Ｒ２  第２の領域
【図１】
2019212474.tif 000003
【図２】
2019212474.tif 000004
【図３】
2019212474.tif 000005
【図４】
2019212474.tif 000006
【図５】
2019212474.tif 000007
【図６】
2019212474.tif 000008
【図７】
2019212474.tif 000009
【図８】
2019212474.tif 000010
【図９】
2019212474.tif 000011
【図１０】
2019212474.tif 000012